(57)【要約】【課題】自転車の前輪を掛けた状態で自転車を保管する器具において、幅の狭い自転車ロッカーや複数の自転車を並べて収納する狭い場所では、自転車を収納する為の負担があり、自転車を吊るした状態で収納位置に移動させる為の移動負荷低減が求められる。【解決手段】自転車の前輪を掛ける器具であるフックと、前記フックを前後方向に滑らかに移動可能とするスライダーと、前記スライダーを支持及び誘導するレールを有することを特徴とし、前記フックは、前記スライダーの移動方向に対して幅方向に、前記スライダーに対して自在に動く構造とし、自転車を掛けている状態及び自転車を掛けていない状態のいずれの状態においても、前記スライダーは常に前記レールに支持及び誘導される。以上の構成により、自転車を吊るした状態で前後方向に滑らかに、商品性高く移動可能な自転車保管器具を簡易な構成で実現することが可能となる。【選択図】図１
2014172452.tif 000002
【特許請求の範囲】
【請求項１】
自転車の前輪を掛けた状態で自転車を保管する器具において、自転車の前輪を掛ける器具であるフックと、前記フックを前後方向に滑らかに移動可能とするスライダーと、前記スライダーを支持及び誘導するレールを有することを特徴とする自転車保管器具。
【請求項２】
前記フックは、前記スライダーの移動方向に対して幅方向に、前記スライダーに対して自在に動くことを特徴とする、請求項１に記載の自転車保管器具。
【請求項３】
前記フックは、前記スライダーの直下となる部位を、前記スライダーの直下以外の部位に対して低い形状としたことを特徴とする、請求項１に記載の自転車保管器具。
【請求項４】
前記スライダーの移動に負荷を与える段差を、前記レールに設けたことを特徴とする、請求項１乃至請求項２又は請求項３に記載の自転車保管器具。
【請求項５】
前記スライダー、前記フック、若しくはそれらと一体となって前後方向に動く部位、保管する自転車のいずれかと、自転車保管器具筺体、若しくは前記自転車保管器具筺体に直接若しくは間接的に固定された部位を、自転車の自重で前記スライダーが移動しない程度に接触させたことを特徴とする、請求項１乃至請求項２又は請求項３に記載の自転車保管器具。
【請求項６】
自転車が移動する範囲の床面を前後方向に傾斜させた、若しくは段差を設けた形状とし、前記床面が高い位置では自転車の前輪を掛けた状態で自転車の後輪が前記床面に接触することを特徴とする、請求項１乃至請求項２又は請求項３に記載の自転車保管器具。
【請求項７】
前記床面の高さ、若しくは前記フックの長さを調整可能とすることを特徴とする、請求項６に記載の自転車保管器具。
【発明の詳細な説明】
【技術分野】
【０００１】
本発明は、自転車を吊り下げて保管する器具の構造に関する。
【背景技術】
【０００２】
外出先において自転車は駐輪場に保管されることが一般的である。また、駐輪場は自転車を保持するラックを使用し、多くの台数を収容していることが多い。この為一般的な駐輪場では自転車同士が当たり、自転車に傷がつく、自転車に容易に触れられる為盗難に対する防御が難しいといった問題を有しており、比較的高価な自転車を所有する人はこの様な駐輪場を利用しないことが多い。
以上の状況を鑑みて、自転車を安全に保管する為に建物の中で自転車を預かるサービスや、自転車を収納する自転車ロッカーを活用するサービスが見受けられる。この様な場合においても、比較的狭い場所に多くの自転車を収納させる必要があり、自転車の保管面積を低下させる為に自転車を立てた状態で保管し、容易な操作で安全に自転車を保管する方法が求められている。
【先行技術文献】
【特許文献】
【０００３】
【特許文献１】特開２０１２−１１１２４４  公報
【特許文献２】実登３１８０５２３
【発明の概要】
【発明が解決しようとする課題】
【０００４】
上述した特許文献１の自転車保管器具は、自転車の後輪を床面に接触させた状態で立てて収納し、収納後に自転車のクランクを操作して固定するものである。しかし、この方法は自転車保管位置に自転車を入れた後に、手を入れてクランクを操作する必要があり、安全に自転車を収納する為に使用する自転車ロッカーや、建物の中で複数の自転車を並べて収納する場所では狭い空間に手を入れることとなり操作がしにくい。また、後輪を覆う泥除けを有する自転車は後輪を床面に接触させた状態で立てることができない為、保管することができない。
【０００５】
また、一般的に利用される自転車保管器具の中には、保管している時の面積を少なくする為に自転車の前輪をフックに掛け、自転車を吊るした状態で保管するものが見受けられる。しかし、幅の狭い自転車ロッカーや複数の自転車を並べて収納する狭い場所では、自転車の前輪をフックに掛ける為に、自転車を持ち上げる負担が大きい。一般的に重量物を持ち上げる時には、持ち上げるものを体の近い位置に寄せて持ち上げると比較的楽に持ち上がるが、前記の様に狭い位置に自転車を収納する際には、体から離れた自転車を持ち上げて前輪をフックに掛けることになり、適正な体勢で自転車を持ち上げられずに負担を増大させている。
【０００６】
上述した特許文献２の自転車保管器具は、自転車の前輪をフックに掛け、自転車を吊るした状態で自転車を前後に移動可能としている。この自転車保管器具は、広い場所で自転車を吊るし、その後比較的容易な負荷で狭い場所に移動させることが可能であり、適正な体勢で自転車を持ち上げられないことによる負担を取り除いているものの、フックを移動させる為の機構はハンガーを金属の棒に引っかけた構造としており、自転車を吊るした状態での前後移動負荷がある。この為、自転車を吊るした状態で自転車を前後に移動する負荷を低減し、商品性を高めることが求められる。
【０００７】
また、自転車の重心は自転車の前輪がフックに掛かった位置に対してサドル側に位置している為、自転車保管器具の保管位置に自転車を立てた状態で、自転車の後輪を奥側の壁等に接触させて自転車を保持するには、フックが移動しないようにある程度の移動負荷が必要である。よって、自転車を前後に移動する負荷を低減させた場合は自転車が直立せず、保管する為に必要な面積が増加し、自転車を吊るした状態で自転車を前後に移動する負荷を低減することと、保管面積の低減を両立できない。
【０００８】
更には、自転車の前輪をフックに掛け、自転車を吊るした状態で保管する自転車保管器具においては、自転車を吊るす為に自転車を持ち上げる負担があり、負荷の低減が求められている。
【０００９】
本発明は以上の様な従来の欠点を鑑み、自転車ロッカー等の狭いスペースに収納する為の負荷を低減し、自転車を利便性高く保管する器具を提供することを目的としている。
【課題を解決するための手段】
【００１０】
本発明の自転車保管器具は、自転車の前輪を掛けた状態で自転車を保管する器具において、自転車の前輪を掛ける器具であるフックと、前記フックを前後方向に滑らかに移動可能とするスライダーと、前記スライダーを支持及び誘導するレールを有することを特徴とする。
【００１１】
前記フックは、前記スライダーの移動方向に対して幅方向に、前記スライダーに対して自在に動く構造とし、自転車を掛けている状態及び自転車を掛けていない状態のいずれの状態においても、前記スライダーは常に前記レールに支持及び誘導される。また、前記フックは前記スライダーの直下となる部位を、前記スライダーの直下以外の部位に対して低い形状とした場合でも、同様に前記スライダーが常に前記レールに支持及び誘導されることとなる。
以上の構成により、自転車を吊るした状態で前後方向に滑らかに、商品性高く移動可能な自転車保管器具を簡易な構成で実現することが可能となる。
【００１２】
本発明の自転車保管器具は、自転車の前輪を掛けた状態で自転車を保管する器具において、前記スライダーの移動に負荷を与える段差を、前記レールに設けたことを特徴とし、移動可能な範囲における一部の場所に、前記フックを保持することを可能とする。以上の構成により、自転車の前輪を掛けた状態で、自転車を滑らかに商品性高く前後方向に移動可能であるとともに、一部の希望の場所では前記フックの移動に負荷をかけることができ、保管位置に自転車を立てた状態で、少ない保管面積で自転車の後輪を奥側の壁等に接触させて自転車を保持することが可能となる。
また、前記スライダー、前記フック、若しくはそれらと一体となって前後方向に動く部位、保管する自転車のいずれかと、自転車保管器具筺体、若しくは前記自転車保管器具筺体に固定された部位を、自転車の自重で前記スライダーが移動しない程度に接触させた場合でも、同様に保管位置に自転車を立てた状態で、少ない保管面積で自転車の後輪を奥側の壁等に接触させて自転車を保持することが可能となる。
【００１３】
本発明の自転車保管器具は、自転車の前輪を掛けた状態で自転車を保管する器具において、自転車が移動する範囲の床面を前後方向に傾斜させた、若しくは段差を設けた形状とし、前記床面が高い位置では自転車の前輪を掛けた状態で自転車の後輪が前記床面に接触することを特徴とし、自転車を前記フックに掛ける時、及び自転車を前記フックから降ろす時には自転車の後輪が前記床面に接地することとなり、自転車を持ち上げる負担が無くなるとともに、保管位置まで自転車を移動させた際には自転車が前記フックに吊られた状態とすることが可能である。
【００１４】
また、前記床面の高さ、若しくは前記フックの長さを調整可能とすることにより、大きさの異なるいずれの自転車においても自転車を持ち上げる負担が無くなるとともに、保管位置まで自転車を移動させた際には自転車が前記フックに吊られた状態とすることが可能である。
【発明の効果】
【００１５】
本発明によれば、自転車ロッカー等の狭いスペースに収納する為の負荷を低減し、自転車を利便性高く保管する器具を提供することができる。
【図面の簡単な説明】
【００１６】
【図１】本発明の一実施例における自転車保管器具の自転車収納前概要図である。
【図２】同自転車保管器具の自転車収納後概要図である。
【図３】同自転車保管器具の幅方向に自在に動くフックの正面図である。
【図４】同自転車保管器具のスライダー直下を低い形状としたフックの正面図である。
【図５】同自転車保管器具のスライダーの移動に負荷を与える構成を示す側面図である。
【図６】同自転車保管器具の長さを調整可能とするフックの正面図である。
【図７】同自転車保管器具の高さを調整可能とする床面の側面図である。
【発明を実施するための形態】
【００１７】
以下、本発明の実施の形態を図に基づいて説明する。
【実施例１】
【００１８】
図１は本発明の一実施例における自転車保管器具の概要図、図２は同自転車保管器具の自転車収納後概要図、図３は同自転車保管器具の幅方向に自在に動くフックの正面図、図４は同自転車保管器具のスライダー直下を低い形状としたフックの正面図である。
自転車保管器具の前後移動機構部はフック１、フック保持具２、緩衝材３、スライダー４、バー７、レール８にて構成される。
【００１９】
フック１は自転車を吊り下げて保持可能な程度の強度を有する金属等の棒、パイプ、板状部材を、自転車を吊り下げて保持可能な形状に曲げて形成する。フック１はフック保持具２に取り付けられる端部に貫通穴若しくは引っかけ形状を有し、フック保持具２が有する細い板状若しくは棒状の部位に掛かった状態でフック保持具２に取り付けられ、スライダー４の移動方向に対して幅方向に、スライダー４に対して自在に動く。
【００２０】
スライダー４は図示しない金属ボール等を内部に用いた既存のベアリング等を用いた回転体５及び回転中心である軸６で構成され、軸６はフック保持具２が有する貫通穴を通じて、フック保持具２とボルトとナットやかしめ等の方法で締結される。回転体５が滑らかに回転することにより、スライダー４は吊り下げた自転車を保持できる強度を有した素材で構成されるバー７上に位置するレール８上を滑らかに移動する。また、スライダー４は前記回転体５と軸６で構成する替わりに、ボールを回転させるベアリングや、摩擦抵抗の小さい樹脂、金属等の素材を摺動面に設けた移動体や、グリス、オイル等の潤滑材料を摺動部表面に付着させて摩擦抵抗を低下させた移動体を用いて構成する場合もある。バー７とレール８は同一材料で一体に構成することも可能である。
【００２１】
フック保持具２が有する細い板状若しくは棒状の部位は、図３におけるスライダー４の横幅範囲内の直下、若しくは直上に位置する構成とし、自転車を吊るす前と自転車を吊るした後のいずれの場合でも重心位置はスライダー４の直下にあり、いずれの場合でもスライダー４はバー７の上のレール８に接触し、フック１は前後方向に滑らかに移動する。
【００２２】
また、フック１において、自転車の前輪が掛かる部位の幅を、掛ける際の操作を容易とする為自転車の前輪幅よりも十分に大きくし、また、スライダー４がレール８に接触した状態で、フック１の重心がスライダー４の直下に位置する形状とする。更にフック１でスライダー４の直下となる部位を、スライダー４の直下以外の部位に対して低い形状とし、更にスライダー４の直下となる部位に向かって低くなる形状とする。
以上の構成により、自転車をスライダー４の直下に掛けることを利用者に促すことが可能となり、自転車を吊るす前と自転車を吊るした後のいずれの場合でも重心位置はスライダー４の直下にある為、いずれの場合でもスライダー４はバー７に接触し、フック１とフック保持具２間を固定して結合した場合においてもフック１は前後方向に滑らかに移動する。
【００２３】
バー７上に設けたレール８はスライダー４が移動する範囲で設けられ、スライダー４の構成部品として回転体５を用いた場合には、図３における左右方向の端部の高さを上げ、回転体５の移動方向を規制する。
【００２４】
フック１の鉤形状の部位には、ゴム、樹脂等を用いた緩衝材３を設け、自転車の前輪を掛けた時にも前輪が傷つかない構造としている。
【００２５】
本発明の自転車保管器具は天面パネル２２にバー７を、図示しない金具等を介してボルトとナットを用いて締結させることにより、自転車ロッカーの中で使用することが可能であるとともに、バー７を固定可能な筺体を用いることにより、自転車ロッカー以外の場所でも使用可能である。
【００２６】
図５は本発明の一実施例における自転車保管器具のスライダーの移動に負荷を与える構成を示す側面図である。
レール８上の一部に突起形状を設け、スライダー４が自転車保管位置から滑らかに移動することを防いでいる。突起形状は自転車が保管位置で直立している際のスライダー４の位置手前側近傍に位置し、自転車が重心側に傾き、スライダー４が移動することを防ぐ。突起形状は自転車を保管位置で直立状態を保持させるとともに、利用者が自転車を移動させた時にはスライダー４を乗り越えることが可能な程度に高さと斜面角度を調整する。以上の構成により、利用者は容易な自転車の移動操作により自転車を入れる作業、出す作業を行うとともに、保管位置で直立状態に自転車を保持し、少ない面積に自転車が保管される。
【００２７】
奥側フック９は金属や樹脂の棒や板を使用し、鉤状に曲がった形状であり、背面パネル２１にボルトとナット等を使用して締結される。また、自転車ロッカー以外で使用する際には背面パネルの替わりに保管位置奥側の壁に奥側フック９を締結する。奥側フック９は保管する自転車が保管位置に直立した状態で、前輪が奥側フック９の鉤状に曲がった形状をした部位に掛かる位置に設けられ、自転車が重心側に傾き、スライダー４が移動することを防ぐ。利用者は自転車を吊るした状態で保管位置まで移動させ、保管位置まで移動させた際に自転車のハンドルを僅かに操作することで、自転車の前輪を奥側フック９に掛けることができる。以上の構成により、レール８上に突起を設ける替わりに奥側フック９を用いて、容易な操作により自転車を入れる作業、出す作業を行うことが可能であるとともに、保管位置で直立状態に自転車を保持し、少ない面積に自転車を保管することが可能となる。
【００２８】
また、背面パネル２１、天面パネル２２、床面パネル２３等の自転車保管器具筺体や、それらと直接若しくは間接的に固定され、自転車本体を含めてフック１と一体に前後に移動する部位が自転車保管位置から滑らかに移動することを防ぐ様に設けられた、鉤状の形状を有する部品、摩擦抵抗の大きいゴムや樹脂等の部品、バネ等弾性を有する部品を使用し、奥側フック９の替わりに保管位置で直立状態に自転車を保持することが可能である。
【００２９】
床面パネル２３は金属の鋼板等を曲げて形成し、前輪を吊るした状態の自転車が移動する範囲を前後方向に傾斜させた、若しくは段差を設けた形状とし、床面パネル２３が高い位置では自転車の前輪をフック１に掛けた状態で自転車の後輪が床面パネル２３に接触し、床面パネル２３が低い位置では自転車の前輪をフック１に掛けた状態で自転車の後輪が床面パネル２３に接触しない高さとする。以上の構成により自転車をフック１に掛ける時、及び自転車をフック１から降ろす時には自転車の後輪が床面パネル２３に接触することが可能となり、自転車を持ち上げる負担が無くなるとともに、保管位置まで自転車を移動させた際には自転車がフック１に吊られた状態とすることが可能である。
床面パネル２３の低い位置では自転車の前輪をフック１に掛けた状態で自転車の後輪が床面パネル２３に僅かに接触する高さに設定した場合でも自転車を持ち上げる負担が無くなるとともに、保管位置まで自転車を移動させた際には自転車がフック１に吊られた状態とすることが可能である。
【００３０】
図６は同自転車保管器具の長さを調整可能とするフックの正面図である。
フック１とフック保持具２をボルトとナットで締結する為の貫通穴を多数用意し、ボルトを貫通させる穴を選択することにより、フック１とフック保持具２を結合した状態の上下方向長さを選択可能としている。以上の構成により、大きさの異なるいずれの自転車においても、床面パネル２３が高い位置では自転車の前輪をフック１に掛けた状態で自転車の後輪が床面パネル２３に接触し、床面パネル２３が低い位置では自転車の前輪をフック１に掛けた状態で自転車の後輪が床面パネル２３に接触しない構成とすることが可能であり、大きさの異なるいずれの自転車においても前記同様自転車をフック１に掛ける時、及び自転車をフック１から降ろす時には自転車を持ち上げる負担が無くなるとともに、保管位置まで自転車を移動させた際には自転車がフック１に吊られた状態とすることが可能である。
【００３１】
図７は同自転車保管器具の高さを調整可能とする床面の側面図である。
スロープＵＰＰＥＲ３１、スロープＬＯＷＥＲ３２は金属の鋼板等を曲げて形成し、床面パネル１３上にボルトとナット等を使用して結合される。スロープＬＯＷＥＲ３２は希望の数を結合させることが可能であり、スロープＵＰＰＥＲ上面の高さを選択可能としている。以上の構成により、大きさの異なるいずれの自転車においても、スロープＵＰＰＥＲ３１が高い位置では自転車の前輪をフック１に掛けた状態で自転車の後輪がスロープＵＰＰＥＲ３１に接触し、スロープＵＰＰＥＲ３１が低い位置では自転車の前輪をフック１に掛けた状態で自転車の後輪がスロープＵＰＰＥＲ３１に接触しない構成とすることが可能であり、大きさの異なるいずれの自転車においても前記同様自転車をフック１に掛ける時、及び自転車をフック１から降ろす時には自転車を持ち上げる負担が無くなるとともに、保管位置まで自転車を移動させた際には自転車がフック１に吊られた状態とすることが可能である。
【００３２】
床面パネル２３若しくはスロープＵＰＰＥＲ３１、スロープＬＯＷＥＲ３２により構成される斜面若しくは段差は、自転車保管スペースの幅方向全てに設けず、前輪を吊られた自転車が前後移動する範囲とすることが望ましく、斜面若しくは段差の無い範囲は、斜面若しくは段差の低い高さに合わせる。以上の構成により、後輪を覆う泥除けを有する自転車を保管する場合でも、前輪を吊られた自転車が前後移動する際に、自転車を傾けることにより斜面若しくは段差の高さが高い部位が、後輪を覆う泥除けに接触することを避けることが可能となる。
【産業上の利用可能性】
【００３３】
本発明によれば自転車ロッカー等の狭いスペースに、自転車を利便性高く保管でき、多数の自転車を安全に保管することが可能となる。
【符号の説明】
【００３４】
１    フック
２    フック保持具
３    緩衝材
４    スライダー
５    回転体
６    軸
７    バー
８    レール
９    奥側フック
２１    背面パネル
２２    天面パネル
２３    床面パネル
３１    スロープＵＰＰＥＲ
３３    スロープＬＯＷＥＲ
【図１】
2014172452.tif 000003
【図２】
2014172452.tif 000004
【図３】
2014172452.tif 000005
【図４】
2014172452.tif 000006
【図５】
2014172452.tif 000007
【図６】
2014172452.tif 000008
【図７】
2014172452.tif 000009